Podtech/llm-jp-corpus-v4-ja_patent huggingface dataset:
【手続補正書】
【提出日】平成20年9月4日(2008.9.4)
【手続補正１】
【補正対象書類名】明細書
【補正対象項目名】特許請求の範囲
【補正方法】変更
【補正の内容】
【特許請求の範囲】
【請求項１】  植物の害虫 蔓延を軽減する方法であって、
ａ）該害虫から、その生存、生長、増殖に臨界的なＤＮＡ配列を同定し、
ｂ）工程ａ）からの配列またはそのフラグメントを適当なベクター中、プロモーター（類）に対して、該プロモーター（類）に適当な転写因子が結合すると該プロモーター(類）が該ＤＮＡ配列のＲＮＡまたはｄｓＲＮＡへの転写を開始できるような配向にクローニングし、
ｃ）該ベクターを植物に導入することを特徴とする方法。
【請求項２】  該害虫が植物を餌にする害虫である請求項１記載の方法。
【請求項３】  該害虫が線虫類である請求項１または２記載の方法。
【請求項４】  該線虫類がチレンクルス・エスピー（Tylenchulus ssp.)、ロドホルス・エスピー（Radopholus ssp.）、ラジナフェレンクス・エスピー（Rhadinaphelenchus ssp.）、ヘテロデラ・エスピー（Heterodera ssp.）、ロチレンクルス・エスピー（Rotylenchulus ssp.）、プラチレンクルス・エスピー（Pratylenchus ssp.）、ベロノライムス・エスピー（Belonolaimus ssp.)、カンジャヌス・エスピー（Canjanus ssp.）、メロイドジン・エスピー（Meloidogyne ssp.）、グロボデラ・エスピー（Globodera ssp.）、ナコブス・エスピー（Nacobbus ssp.）、ジチレンクス・エスピー（Ditylenchus ssp.）、アフェレンコイデス・エスピー（Aphelenchoides ssp.）、ヒルシュメニエラ・エスピー（Hirschmenniella ssp.）、アンギナ・エスピー（Anguina ssp.）、ホプロライムス・エスピー（Hoplolaimus ssp.）、ヘリオチレンクス・エスピー（Heliotylenchus ssp.）、クリコネメラ・エスピー（Criconemella ssp.）、キシフィネマ・エスピー（Xiphinema ssp.）、ロンギドルス・エスピー（Longidorus ssp.)、トリコドルス・エスピー（Trichodorus ssp.)、パラトリコドルス、エスピー（Paratrichodorus ssp.)、アフェレンチス・エスピー（Aphelenchs ssp.)のいずれかである請求項３記載の方法。
【請求項５】  該害虫が昆虫である請求項１または２記載の方法。
【請求項６】  プロモーターに転写因子が結合すると、ＤＮＡのｄｓＲＮＡへの転写がもたらされるように２つのプロモーター間に該ＤＮＡ配列が提供される請求項１〜５のいずれか１項記載の方法。
【請求項７】  プロモーターに転写因子が結合すると、ＤＮＡのｄｓＲＮＡへの転写がもたらされるように該プロモーターに対してセンスおよびアンチセンス配向で該ＤＮＡ配列が提供される請求項１〜６のいずれか１項記載の方法。
【請求項８】  該プロモーターが組織特異的 プロモーターである請求項１〜７のいずれか１項記載の方法。
【請求項９】  該プロモーターが根特異的プロモーターである請求項８記載の方法。
【請求項１０】  植物の寄生虫蔓延を軽減するための請求項１〜９のいずれか１項記載の方法。
【請求項１１】  植物害虫の生存、生長、増殖に臨界的な植物害虫由来のＤＮＡ配列を含む植物であって、該ＤＮＡ配列またはそのフラグメントが適当なベクター中、プロモーター（類）に対して、該プロモーター（類）に適当な転写因子が結合すると該プロモーター(類）が該ＤＮＡ配列のＲＮＡまたはｄｓＲＮＡへの転写を開始できるような配向にクローニングされているところの、植物。
【請求項１２】  プロモーターに転写因子が結合すると、ＤＮＡのｄｓＲＮＡへの転写がもたらされるように２つのプロモーター間に該ＤＮＡ配列が提供されている請求項１１記載の植物。
【請求項１３】  プロモーターに転写因子が結合すると、ＤＮＡのｄｓＲＮＡへの転写がもたらされるように該プロモーターに対してセンスおよびアンチセンス配向で該ＤＮＡ配列が提供されている請求項１１または１２記載の植物。
【請求項１４】  該プロモーターが組織特異的プロモーターである請求項１１〜１３のいずれか１項記載の植物。
【請求項１５】  該プロモーターが根特異的プロモーターである請求項１４記載の植物。
【請求項１６】  植物害虫の生存、生長、増殖に臨界的な植物害虫由来のＤＮＡ配列の植物の害虫蔓延を軽減するための使用であって、該ＤＮＡ配列またはそのフラグメントが適当なベクター中、プロモーター（類）に対して、該プロモーター（類）に適当な転写因子が結合すると該プロモーター(類）が該ＤＮＡ配列のＲＮＡまたはｄｓＲＮＡへの転写を開始できるような配向にクローニングされているところの、使用。
【請求項１７】  プロモーターに転写因子が結合すると、ＤＮＡのｄｓＲＮＡへの転写がもたらされるように２つのプロモーター間に該ＤＮＡ配列が提供されている請求項１６記載の使用。
【請求項１８】  プロモーターに転写因子が結合すると、ＤＮＡのｄｓＲＮＡへの転写がもたらされるように該プロモーターに対してセンスおよびアンチセンス配向で該ＤＮＡ配列が提供されている請求項１６または１７記載の使用。
【請求項１９】  該プロモーターが組織特異的プロモーターである請求項１６〜１８のいずれか１項記載の使用。
【請求項２０】  該プロモーターが根特異的プロモーターである請求項１９記載の使用。
【手続補正書】
【提出日】平成20年7月30日(2008.7.30)
【手続補正１】
【補正対象書類名】特許請求の範囲
【補正対象項目名】全文
【補正方法】変更
【補正の内容】
【特許請求の範囲】
【請求項１】
床と前記床から離間された焦点面とを備えた試料室を有するマイクロプレートリーダー内に試料処理装置を位置決めする方法であって、
主管および前記主管に沿って設置された複数の処理チャンバを含む少なくとも１つの処理アレイと、周囲に端部を備えた第１の主面とを含む試料処理装置を用意する工程と、
前記試料処理装置の前記第１の主面の近傍に位置決め装置を配置する工程と、
前記位置決め装置が前記試料処理装置の前記第１の主面と前記試料室の床との間に位置するように、前記試料処理装置および前記位置決め装置を前記マイクロプレートリーダーの前記試料室に配置する工程と、を含む、
方法。
【請求項２】
読取り中に試料処理装置が載置される床を備えた試料室を有するマイクロプレートリーダー内に、試料処理装置を位置決めする方法であって、
主管および前記主管に沿って設置された複数の処理チャンバを含む少なくとも１つの処理アレイと、周囲に端部を備えた第１の主面とを含む試料処理装置を用意する工程と、
前記試料処理装置が前記試料処理装置の２つ以上の端部に沿って位置決め装置内に保持されるように、前記位置決め装置内に前記試料処理装置を懸架する工程と、
前記位置決め装置が前記試料処理装置の前記第１の主面を、前記試料室の前記床から選択された距離離れた位置に位置決めするように、前記試料処理装置および前記位置決め装置を前記マイクロプレートリーダーの前記試料室に配置する工程と、を含む、
方法。
【請求項３】
長さ方向に開口している主管および前記主管に沿って配置された複数の処理チャンバを含む少なくとも１つの処理アレイと、周囲に端部を備えた第１の主面とを含む試料処理装置と、
互いに略平行に構成された２つの主面を含む位置決め装置であって、前記２つの主面は支持面および前記支持面と反対側の基面を含み、前記支持面は、前記少なくとも１つの処理アレイの前記複数の処理チャンバにより占有される前記第１の主面の領域と実質的に同一の広がりを持つ、位置決め装置と、
前記試料処理装置を前記位置決め装置の前記支持面上に位置合せすべく互いに連結する、前記位置決め装置の前記支持面上の第１の位置合せ機構および前記試料処理装置上の相補的な第２の位置合せ機構と、を含み、
前記試料処理装置が前記位置決め装置に対して固定式に取り付けられていない、
試料処理キット。
【請求項４】
長さ方向に開口している主管および前記主管に沿って設置された複数の処理チャンバを含む少なくとも１つの処理アレイと、周囲に端部を備えた第１の主面とを含む試料処理装置と、
前記試料処理装置を位置決め装置内に懸架すべく構成された２つ以上の対向するチャネルを含む位置決め装置と、を含み、
前記試料処理装置が前記位置決め装置に対して固定式に取り付けられていない、
試料処理キット。
【手続補正書】
【提出日】平成20年7月10日(2008.7.10)
【手続補正１】
【補正対象書類名】特許請求の範囲
【補正対象項目名】全文
【補正方法】変更
【補正の内容】
【特許請求の範囲】
【請求項１】
サンプルインジェクター；サンプルインジェクターからサンプルを受け取るために位置するカラムケーシングの内側の少なくとも１つの透過性モノリシックポリマー性プラグ及びカラムケーシングを有する少なくとも１つのクロマトグラフィーカラム；溶剤を少なくとも１つのクロマトグラフィーカラムに供給し、それにより、サンプルが、その成分に、少なくとも１つのクロマトグラフィーカラム内で分離されるためのクロマトグラフィーカラムに連通する溶剤系；内部カラム壁表面を有するカラムケーシング壁を含む前記少なくとも１つのカラムケーシング；及び前記クロマトグラフィーカラムから液体を受け取るためのユーティリティデバイスを含むクロマトグラフシステムであって、カラム壁の内側面と接触する切れ目のない滑らかな壁を有する少なくとも１つの透過性モノリシックポリマー性、温度−時間適切化プラグにより特徴付けられるクロマトグラフシステム。
【請求項２】
発熱により生じる実質的に不均一な細孔サイズなしにポリマー性モノリシックパッキング及びカラムケーシングを有するクロマトグラフィーカラムにサンプルを供給する工程；及び溶剤をクロマトグラフィーカラムに供給し、それにより、サンプルが、その成分に、クロマトグラフィーカラム内で分離される工程を含むクロマトグラフィーを行う方法であって、ポリマー性モノリシックパッキングが、温度−時間適切化されている方法。
【請求項３】
内部カラム壁内の分離−有効開口部を有する透過性モノリシックポリマー性プラグ及び該カラム壁を有するクロマトグラフィーカラム支持体を含むクロマトグラフィーカラムであって、透過性モノリシックポリマー性プラグが、温度−時間適切化及び圧力下での重合により形成される断面均一性及び滑らかな壁を有するポリマーであることを特徴とするクロマトグラフィーカラム。
【請求項４】
重合の間の温度変化のための手段とそれによる重合混合物が温度−時間適切化及び前記温度制御反応チャンバーにおける前記重合混合物に圧力を加えるための手段により特徴付けられる重合の間に重合混合物を含むように適応された温度制御反応チャンバーを含むクロマトグラフィーカラムを製造するための装置。
【請求項５】
プラグを形成するための重合の間に重合混合物を含むように適応された温度制御反応チャンバー；プラグに水溶液を加えるための水性処理手段；及び該プラグに圧力を加えて、プラグにおけるボイドを低減するための手段を含むクロマトグラフィーカラムを製造するための装置であって、温度制御反応チャンバーが、温度−時間適切化のための手段を含む装置。
【請求項６】
カラムケーシング内にポロゲンを含む重合混合物を置く工程を含む方法であって、低及び高温度重合の組み合わせ及び圧力を使用してカラムケーシング内の重合混合物を重合し、滑らかな壁を有するポリマープラグを形成する工程により特徴付けられる方法。
【請求項７】
ポロゲンを含む重合混合物を重合する工程を含むモノリシッククロマトグラフィーカラムを製造する方法であって、温度−時間適切化条件下及び圧力下で重合を行い、それにより、温度勾配が制御されて、滑らかな壁を有するモノリシッククロマトグラフィーカラムにおける空間断面変化を防止することを特徴とする方法。
【請求項８】
温度−時間適切化で重合を行って、ポリマープラグを形成することにより特徴付けられるポロゲンを含む重合混合物を製造する工程；ポリマープラグを洗浄して、ポロゲンを除去する工程、ここでプラグが膨張する傾向にある；及び圧力を加えて、ポリマープラグの膨張を防止し及びボイドを排除する工程を含むモノリシッククロマトグラフィーカラムを製造する方法。
【請求項９】
ＧＭＡ、ＡＴＭＳ、ＥＤＭＡ、開始剤及びポロゲンを混合して、重合混合物を形成する工程；及びカラム内において混合物を重合する工程を含む強アニオンカラムを製造する方法であって、混合物を、温度−時間適切化条件下で重合して、プラグを形成することを特徴とする方法。
【手続補正書】
【提出日】平成20年8月8日(2008.8.8)
【手続補正１】
【補正対象書類名】特許請求の範囲
【補正対象項目名】全文
【補正方法】変更
【補正の内容】
【特許請求の範囲】
【請求項１】
管（２）と接続部材（３）を封止連結するためのねじ継手（ＳＶ）用金属製食い込みリング（１）であって、
前記食い込みリングが、管接触区間（１ａ）と、食い込みリング縦軸線（Ｘ−Ｘ）の方向において前記管接触区間（１ａ）から移行する刃付き区間（１ｂ）とを有し、
前記刃付き区間（１ｂ）が刃（７、８）と、ストッパー（４）とを備え、前記刃（７、８）は前記接続部材（３）に対向する前記管接触区間（１ａ）に設けられるとともに、
前記ストッパー（４）は、
前記刃（７、８）より前記管接触区間（１ａ）に近接して設けられ、
前記刃付き区間（１ｂ）の外径（Ｄ１ｂ）で表される前記食い込みリング（１）の外周から半径方向外側に向き、
前記食い込みリング縦軸線（Ｘ−Ｘ）に対して径外側方向に延在する接続部材用当接面（５）を有しており、
前記当接面（５）が、環状の２つの面部分（５ａ、５ｂ）を有し、この２つの面部分は互いに同心的に配置されるとともに、前記内側の面部分（５ａ）が前記接続部材（３）の側ほどテーパ状に広がり、前記外側の面部分（５ｂ）が前記接続部材（３）の側ほどテーパ状に縮小するように、前記食い込みリング縦軸線（Ｘ−Ｘ）に対して異なる傾斜角度を有し、前記当接面が突出した環状の当接エッジ（９）によって分割されていることを特徴とする金属製食い込みリング。
【請求項２】
前記食い込みリング縦軸線（Ｘ−Ｘ）に対する前記内側の面部分（５ａ）の傾斜が、前記食い込みリング縦軸線（Ｘ−Ｘ）の垂線からのずれが２５°以下であることを特徴とする請求項１に記載の食い込みリング。
【請求項３】
前記食い込みリング縦軸線（Ｘ−Ｘ）に対する前記内側の面部分（５ａ）の傾斜が、前記食い込みリング縦軸線（Ｘ−Ｘ）の垂線からのずれが１５°未満であることを特徴とする請求項１または２に記載の食い込みリング。
【請求項４】
前記面部分（５ａ、５ｂ）の間に鈍角（α）が形成されていることを特徴とする請求項１〜３のいずれか一項に記載の食い込みリング。
【請求項５】
前記刃付き区間（１ｂ）の筒状の外側輪郭の外周（Ｄ１ｂ）に対向する前記管接触区間（１ａ）の外周（Ｄ１ａ）の凹部によって形成される喉部に、丸み付け部（Ｒ）を設けていることを特徴とする請求項１〜４のいずれか一項に記載の食い込みリング。
【手続補正書】
【提出日】平成20年8月5日(2008.8.5)
【手続補正１】
【補正対象書類名】明細書
【補正対象項目名】００１１
【補正方法】変更
【補正の内容】
【００１１】
【特許文献１】米国特許第３，８６９，７９９号明細書
【特許文献２】国際公開第９２／２０９９６号パンフレット
【特許文献３】米国特許第５，３９０，４２４号明細書
【特許文献４】欧州特許第０４０２４４０Ｂ１号明細書
【手続補正書】
【提出日】平成20年7月30日(2008.7.30)
【手続補正１】
【補正対象書類名】特許請求の範囲
【補正対象項目名】全文
【補正方法】変更
【補正の内容】
【特許請求の範囲】
【請求項１】
式Ｉ：
【化１】
2008509891.tif 000001
［ここで、
Ｒ１は、Ｈ、（Ｃ１−Ｃ６）−アルキルであり；
Ｒ２は、Ｈ、Ｏ−（Ｃ１−Ｃ３）−アルキル、ＣＦ3であり；又は
Ｒ１及びＲ２は、フェニル環と一緒になって、縮合したナフチルであり；
Ｒ３は、（Ｃ１−Ｃ６）−アルキルであり；
Ｒ４は、（Ｃ１−Ｃ６）−アルキル、ベンジルであり；
Ｒ５は、Ｈ、（Ｃ１−Ｃ６）−アルキルである］
の化合物、並びにその生理学的に許容される塩、溶媒和物及び生理学的機能性誘導体。
【請求項２】
Ｒ１は、Ｈ、メチル、プロピル又はブチルであり；
Ｒ２は、Ｈ、メトキシ、ＣＦ3であり；又は
Ｒ１及びＲ２は、フェニル環と一緒になって、縮合したナフチルであり；
Ｒ３は、メチル、エチル又はプロピルであり；
Ｒ４は、メチル、プロピル又はベンジルであり；そして
Ｒ５は、Ｈである；
請求項１に記載の式Ｉの化合物。
【請求項３】
Ｒ１又はＲ２がＨである、請求項１又は２に記載の式Ｉの化合物。
【請求項４】
Ｒ４がメチルである、請求項１〜３のいずれか１項に記載の式Ｉの化合物。
【請求項５】
請求項１〜４のいずれか１項に記載の１つ又はそれ以上の式Ｉの化合物を含む医薬。
【請求項６】
請求項１〜４のいずれか１項に記載の１つ又はそれ以上の式Ｉの化合物、及び代謝障害又はそれに伴う障害に対し有利な効果を有する１つ又はそれ以上の有効成分を含む医薬。
【請求項７】
請求項１〜４のいずれか１項に記載の１つ又はそれ以上の式Ｉの化合物、及び１つ又はそれ以上の抗糖尿病薬を含む医薬。
【請求項８】
請求項１〜４のいずれか１項に記載の１つ又はそれ以上の式Ｉの化合物、及び１つ又はそれ以上の脂質調節剤を含む医薬。
【請求項９】
脂肪酸代謝の障害及びグルコース利用障害の治療又は予防用医薬の製造のための、請求項１〜４のいずれか１項に記載の式Ｉの化合物の使用。
【請求項１０】
インスリン抵抗性が関与する障害の治療又は予防用医薬の製造のための、請求項１〜４のいずれか１項に記載の式Ｉの化合物の使用。
【請求項１１】
糖尿病及びそれに関連する続発症の治療又は予防用医薬の製造のための、請求項１〜４のいずれか１項に記載の式Ｉの化合物の使用。
【請求項１２】
異常脂質血症及びそれらの続発症の治療又は予防用医薬の製造のための、請求項１〜４のいずれか１項に記載の式Ｉの化合物の使用。
【請求項１３】
代謝症候群に関連する状態の治療又は予防用医薬の製造のための、請求項１〜４のいずれか１項に記載の式Ｉの化合物の使用。
【請求項１４】
脂肪酸代謝の障害及びグルコース利用障害の治療又は予防用医薬の製造のための、少なくとも更に１つの有効成分と組み合わせた、請求項１〜４のいずれか１項に記載の化合物の使用。
【請求項１５】
インスリン抵抗性が関与する障害の治療又は予防用医薬の製造のための、少なくとも更に１つの有効成分と組み合わせた、請求項１〜４のいずれか１項に記載の化合物の使用。
【手続補正書】
【提出日】平成20年7月30日(2008.7.30)
【手続補正１】
【補正対象書類名】特許請求の範囲
【補正対象項目名】全文
【補正方法】変更
【補正の内容】
【特許請求の範囲】
【請求項１】
式Ｉ：
【化１】
2008509894.tif 000001
［ここで、
Ｒは、Ｈ、ＣＦ3であり；
Ｒ１は、Ｈ、ＣＦ3、（Ｃ１−Ｃ６）−アルキル、フェニル、フェノキシであり；
Ｒ２は、Ｈ、（Ｃ１−Ｃ４）−アルキル、Ｏ−（Ｃ１−Ｃ４）−アルキル、ＣＦ3であり；又は
Ｒ１及びＲ２は、フェニル環と一緒になって、縮合したナフチルであり；
Ｒ３は、（Ｃ１−Ｃ６）−アルキルであり；
Ｒ４は、（Ｃ１−Ｃ６）−アルキル、ベンジルであり；
Ｒ５は、Ｈ、（Ｃ１−Ｃ６）−アルキルである］
の化合物、並びに生理学的に許容されるその塩、溶媒和物及び生理学的機能性誘導体。
【請求項２】
Ｒは、Ｈであり；
Ｒ１は、Ｈ、メチル、ブチル、フェニル、フェノキシ又はＣＦ3であり；
Ｒ２は、Ｈ、メチル、メトキシ又はＣＦ3であり；
Ｒ１及びＲ２は、フェニル環と一緒になって、縮合したナフチルであり；
Ｒ３は、エチル又はプロピルであり；
Ｒ４は、メチルであり；そして、
Ｒ５は、Ｈである；
請求項１に記載の式Ｉの化合物。
【請求項３】
請求項１または２に記載の１つ又はそれ以上の式Ｉの化合物を含む医薬。
【請求項４】
請求項１または２に記載の１つ又はそれ以上の式Ｉの化合物、及び代謝障害又はそれに伴う障害に対し有利な効果を有する１つ又はそれ以上の有効成分を含む医薬。
【請求項５】
請求項１または２に記載の１つ又はそれ以上の式Ｉの化合物、及び１つ又はそれ以上の抗糖尿病薬を含む医薬。
【請求項６】
請求項１または２に記載の１つ又はそれ以上の式Ｉの化合物、及び１つ又はそれ以上の脂質調節剤を含む医薬。
【請求項７】
脂肪酸代謝の障害及びグルコース利用障害の治療又は予防用医薬の製造のための、請求項１または２に記載の式Ｉの化合物の使用。
【請求項８】
インスリン抵抗性が関与する障害の治療又は予防用医薬の製造のための、請求項１または２に記載の式Ｉの化合物の使用。
【請求項９】
糖尿病及びそれに関連する続発症の治療又は予防用医薬の製造のための、請求項１または２に記載の式Ｉの化合物の使用。
【請求項１０】
異常脂質血症及びそれらの続発症の治療又は予防用医薬の製造のための、請求項１または２に記載の式Ｉの化合物の使用。
【請求項１１】
代謝症候群に関連する状態の治療又は予防用医薬の製造のための、請求項１または２に記載の式Ｉの化合物の使用。
【請求項１２】
脂肪酸代謝の障害及びグルコース利用障害の治療又は予防用医薬の製造のための、少なくとも更に１つの有効成分と組み合わせた、請求項１または２に記載の化合物の使用。
【請求項１３】
インスリン抵抗性が関与する障害の治療又は予防用医薬の製造のための、少なくとも更に１つの有効成分と組み合わせた、請求項１または２に記載の化合物の使用。
【手続補正２】
【補正対象書類名】明細書
【補正対象項目名】００６９
【補正方法】変更
【補正の内容】
【００６９】
化合物Ａ−１（N.W.Boaz, Tetraheron: Asymmetry, (1999) 10, 813-816に記載の通りに製造された）をアルコールＡ−２に（例えば、ＴＨＦ中での、クロロギ酸エチル、トリエチルアミン及びナトリウムボロヒドリド、又はＴＨＦ中のクロロギ酸イソブチル及びＮ−メチルモルホリン及びナトリウムボロヒドリドにより）還元し、引き続いて、第一級ヒドロキシル基を保護基ＰＧ（例えば、ＰＧ＝ＴＨＰでは；ジクロロメタン中のジヒドロピラン及びトルエンスルホン酸一水和物と室温で撹拌することにより）で保護し、化合物Ａ−３を得る。 Ａ−３をエーテル性溶媒中リチウムアルミニウムヒドリドで還元し、化合物Ａ−４を得る。化合物Ａ−４の第一級ヒドロキシル基を、ＰＧと直交する保護基ＰＧ’で保護し（例えば、ＰＧ＝ＴＢＤＰＳでは；ＴＢＤＰＳＣｌ及びイミダゾールと一緒にＤＭＦ中、室温で撹拌し）、化合物Ａ−５を得る。化合物Ａ−５の一方の保護基を脱離させ（例えば、ＤＧ＝ＴＨＰでは；メタノール又はイソプロパノール中、トルエンスルホン酸
一水和物又はピリジニウム・ｐ−トルエンスルホナートと一緒に室温で撹拌し）、化合物Ａ−６を得る。化合物Ａ−６を化合物Ｃ（ここで、化合物Ｃは、２―ハロ酢酸（ハロゲンは、臭素又は塩素であって良い）とＲ６−ＯＨとのエステルであって、Ｒ６は上記の意味を有する）と反応させ、化合物Ａ−７を得る。エーテル性溶媒中、化合物Ａ−７を、エーテル性溶媒中、リチウムアミド塩基（例えば、リチウムジイソプロピルアミド又はリチウム−２，２，５，５−テトラメチルピロリジド）及び一般式Ｒ４Ｘのアルキルハライド（ここで、Ｒ４は上記の意味を有する）と低温で反応させる。この様にして得られた化合物を、次いでエーテル性溶媒中リチウムアミド塩基（例えば、リチウムジイソプロピルアミド又はリチウム−２，２，５，５−テトラメチルピロリジド）及び一般式Ｒ５Ｘのアルキルハライド（ここで、Ｒ５は上記の意味を有する）と低温で反応させ、化合物Ａ−８を得る。保護基ＰＧ’をＡ−８から脱離させ（ＰＧ＝ＴＢＤＰＳの場合、ＴＨＦ中でのテトラブチルアンモニウムフルオリドにより）、一般式Ａ−９の化合物を得る。化合物Ａ−９は、エーテル性溶媒中で塩基（例えば、水素化ナトリウム又はカリウムｔｅｒｔ−ブトキシド）及び化合物Ｄ（ここで、Ｒ１、Ｒ２及びＲ３は上記の意味を有する）と反応させ、化合物Ａ−１０を得る。化合物Ａ−１０は、Ｒ６が第一級又は第二級アルキル基の場合、メタノール中塩基により、又はＲ６が第三級アルキル基の場合、不活性溶媒中の無水の酸（例えば、ジオキサン中の塩化水素又はジクロロメタン中のトリフルオロ酢酸）により、酸Ａ−１１に加水分解される。
【手続補正３】
【補正対象書類名】明細書
【補正対象項目名】０１０１
【補正方法】変更
【補正の内容】
【０１０１】
２−（（１Ｒ，３Ｓ）−３−ヒドロキシメチルシクロヘキシルメトキシ）−２−メチルプロピオン酸ｔｅｒｔ−ブチル
【化２８】
2008509894.tif 000002
２−メチル−２−［（１Ｒ，３Ｓ）−３−（テトラヒドロピラン−２−イルオキシメチル）シクロヘキシルメトキシ］プロピオン酸ｔｅｒｔ−ブチル（３１.４ｇ）をイソプロ
パノール（１１５ｍｌ）に溶解し、ｐ−トルエンスルホン酸一水和物（１.６１ｇ）を加
えた後、室温で７８時間の間撹拌した。引き続いて、ＮａＨＣＯ３飽和溶液を、ｐＨ試験紙で反応液が中性になるまで加えた。大部分の溶媒を留去した。水性の残留物を水及びＭＴＢＥに取り込んだ。水相を分離し、ＭＴＢＥで３回抽出した。集めた有機相を水、ＮａＣｌ飽和溶液で洗浄し、ＭｇＳＯ4で乾燥し、濃縮し、残留物をシリカゲル（ヘプタン／酢酸エチル＝１０／１）上でのクロマトグラフィーで精製し、２−（（１Ｒ，３Ｓ）−３−ヒドロキシメチルシクロヘキシルメトキシ）−２−メチルプロピオン酸ｔｅｒｔ−ブチル（１４.９ｇ）を黄色の油状物質として得た。
１Ｈ−ＮＭＲ（５００ＭＨｚ，ＤＭＳＯ）：δ＝４.３２（ｔ，Ｊ＝６Ｈｚ，１Ｈ）；３.６７−３.７４（ｍ，２Ｈ）；３.０５−３.１２（ｍ，２Ｈ）；１.７６−１.８３（ｍ，１Ｈ）；１.６６−１.７５（ｍ，２Ｈ）；１.１５−１.５０（ｍ，４Ｈ）；１.４１（ｓ，９Ｈ）；１.２７（ｓ，６Ｈ）；０.７１−０.８８（ｍ，２Ｈ）；０.４８−０.５７（ｍ，１Ｈ）。
【手続補正書】
【提出日】平成20年4月16日(2008.4.16)
【手続補正１】
【補正対象書類名】特許請求の範囲
【補正対象項目名】全文
【補正方法】変更
【補正の内容】
【特許請求の範囲】
【請求項１】
ターミナル内に収容される貨物専用コンテナを追跡するシステムにおいて、
コンテナ取扱い機器上に配置されるよう構成され、該コンテナ取扱い機器が取り扱うコンテナの位置に影響を与えるイベントに基づいて無線ＲＦ信号を送信するように動作可能なタグトランスミッタと、
前記タグトランスミッタから前記無線ＲＦ信号を受信する前記ターミナル内の周知の場所に間隔を空けて配置された複数のアクセスポイントと、
イベントが発生した時点で前記タグトランスミッタを位置特定し、および前記コンテナの位置を特定するために、位置特定アクセスポイントに動作可能に接続されたプロセッサと、
前記コンテナ取扱い機器に装着されるように構成され、いかなる位置特定アクセスポイントへの無線ＲＦ信号の照準線送信を可能にするために、いかなるコンテナの積み重ねられた高さを上回る高さで前記タグトランスミッタをサポートするアンテナマストとを含み、
前記タグトランスミッタは、相互から断片波長または全波長の間隔を空けて非線形に構成される複数のＲＦトランスミッタを備え、空間的多様性を可能にし、カップリングおよびパターン歪みを最低限に抑えることを特徴とする、システム。
【請求項２】
前記コンテナ取扱い機器に装着されるよう構成され、イベントを感知し、イベントデータの送信のための前記タグトランスミッタにデータを送信するために、該タグトランスミッタと共に動作可能なセンサをさらに含む請求項１に記載のシステム。
【請求項３】
前記センサは、コンテナの除去、配置、または解放と、コンテナが他のコンテナと積み重ねらされる際に、該コンテナの高さを示すために前記コンテナ取扱い機器上に設置されるいかなるグリッパの高さと、を感知するように動作可能な請求項２に記載のシステム。
【請求項４】
前記センサは、コンテナを有するシャーシからトラクタを切り離すこと、またはトラクタが後進することを感知するように動作可能な請求項２に記載のシステム。
【請求項５】
前記ＲＦトランスミッタは、約１／４波長から約１波長の間隔が空けられる請求項１に記載のシステム。
【請求項６】
前記アンテナマスト上で前記タグトランスミッタをサポートし、陸上平面を形成する装着プレートをさらに含む請求項１に記載のシステム。
【請求項７】
前記アンテナマストに装着されており、ＧＰＳ位置座標を送信するために前記タグトランスミッタと動作可能な全地球測位センサをさらに含む請求項１に記載のシステム。
【請求項８】
前記位置特定プロセッサは、信号を最初に到着した信号として相関し、前記タグトランスミッタを位置特定するために最初に到着した信号の微分を実行するように動作可能な請求項１に記載のシステム。
【請求項９】
前記ターミナル内に配置され、送信を開始するために前記タグトランスミッタに問い合せるように動作可能な質問機をさらに含む請求項１に記載のシステム。
【請求項１０】
ターミナル内に収容される貨物専用コンテナを追跡するシステムにおいて、
コンテナ取扱い機器によりサポートされるよう構成されるアンテナマストと、
前記アンテナマストによりサポートされ、コンテナ取扱い機器を特定するデータを有する無線ＲＦ信号を送信するように動作可能なタグトランスミッタと、
前記ターミナル内の周知の場所に配置され、前記タグトランスミッタから前記無線ＲＦ信号を受信する複数のアクセスポイントであって、前記タグトランスミッタは、いかなる位置特定アクセスポイントへの無線ＲＦ信号の照準線送信を可能にするいかなるコンテナの積み重ねられた高さを上回る高さで、前記アンテナマストによりサポートされる複数のアクセスポイントと、
前記コンテナ取扱い機器の場所に基づいて、前記タグトランスミッタを位置特定し、前記コンテナの位置を特定するために、前記位置特定アクセスポイントに動作可能に接続されたプロセッサと、
を含み、
前記タグトランスミッタは、相互から断片波長間隔または全波長の間隔を非線形な方法で空けた複数のＲＦトランスミッタを含み、空間的多様性を可能にし、カップリングおよびパターン歪みを最低限に抑えるシステム。
【請求項１１】
前記アンテナマスト上で前記タグトランスミッタをサポートし、陸上平面を形成する装着プレートをさらに含む請求項１０に記載のシステム。
【請求項１２】
前記アンテナマストに装着されており、ＧＰＳ位置座標を送信するために前記タグトランスミッタと動作可能な全地球測位センサをさらに含む請求項１０に記載のシステム。
【請求項１３】
前記タグトランスミッタは、前記コンテナ取扱い機器により取り扱われるコンテナの位置に影響を与えるイベントに基づいて無線ＲＦ信号を送信するように動作可能な請求項１０に記載のシステム。
【請求項１４】
前記コンテナ取扱い機器上に位置するよう構成され、イベントを感知し、イベントデータの無線送信のための前記タグトランスミッタにデータを送信するために、前記タグトランスミッタと共に動作可能なセンサをさらに含む請求項１０に記載のシステム。
【請求項１５】
前記センサは、コンテナの除去、配置、または解放と、およびコンテナが他のコンテナと積み重ねらされる際に、該コンテナの高さを示すために前記コンテナ取扱い機器上に設置されるいかなるグリッパの高さと、を感知するように動作可能な請求項１４に記載のシステム。
【請求項１６】
前記センサは、コンテナを有するシャーシからトラクタを切り離すこと、またはトラクタが後進することを感知するように動作可能な請求項１４に記載のシステム。
【請求項１７】
前記位置特定プロセッサは、信号を最初に到着すべき信号として相関し、前記タグトランスミッタを位置特定するために最初に到着した信号の微分を実行するように動作可能な請求項１０に記載のシステム。
【請求項１８】
前記ターミナル内に配置され、送信を開始するために前記タグトランスミッタに問い合せるように動作可能な質問機をさらに含む請求項１０に記載のシステム。
【手続補正書】
【提出日】平成20年8月12日(2008.8.12)
【手続補正１】
【補正対象書類名】特許請求の範囲
【補正対象項目名】全文
【補正方法】変更
【補正の内容】
【特許請求の範囲】
【請求項１】
使用者の望む液体を供給する供給装置であって、該装置は、
一つの開口部を有するカバー、
カバーに連結してあって、液体の貯蔵用容器、及び該容器から液体を汲み出しそしてその液体を、カバー内に備えられたノズルを通して供給する液体移送機構を含む、供給アセンブリ、及び
ノズルと作動上連動しない第一の位置とノズルと作動上連動する第二の位置との間で選択的に移動可能であるボタン
を含み、ここで
ボタン及びノズルは、ノズルが液体を供給する第三の位置へ一緒に移動することが可能である、上記供給装置。
【請求項２】
さらに、カバーが一つの開口部を含む、請求項１に記載の供給装置。
【請求項３】
開口部は、使用者が指をその開口部に挿入できるような寸法を有する、請求項２に記載の供給装置。
【請求項４】
液体移送機構は、使用者の指が開口部に挿入され、そして液体移送機構に圧を付与することにより作動する、請求項３に記載の供給装置。
【請求項５】
ボタンは液体移送機構に連結している、請求項１に記載の供給装置。
【請求項６】
ボタンは開口部を有する、請求項５に記載の供給装置。
【請求項７】
ボタンの開口部及びノズルが、第二の位置にある際にはカバーの開口部の上側領域と一直線上にあり、そして第三の位置にある際にはカバーの開口部の下側領域と一直線上にあるように、カバーの開口部は垂直方向に引き伸ばされている、請求項６に記載の供給装置。
【請求項８】
ボタンの開口部は、第一の位置ではノズルの延長線上から外れており、そして第二の位
置ではノズルと一直線上にある、請求項６に記載の供給装置。
【請求項９】
ノズルは、ボタン及びノズルが第三の位置にある際にはカバーの開口部と流体連絡しており、そしてボタンが第一の位置にある際にはカバーの開口部と流体連絡していない、請求項６に記載の供給装置。
【請求項１０】
液体移送機構は、ポンプおよび弁付与圧容器のうちの少なくとも一つを含む、請求項１に記載の供給装置。
【請求項１１】
第一の位置から第二の位置まで移動するボタンは、カバーの開口部と流体連絡しているノズルを取り付けているが、しかし液体移送機構を作動させず、そして第二の位置から第三の位置まで移動するボタンは、液体移送機構を作動させ次いで液体を供給する、請求項１に記載の供給装置。
【請求項１２】
物質を供給する携帯用供給装置であって、
物質貯蔵用容器、
容器に連結した物質移送機構であって、該機構中の供給口を介して容器から物質を供給するための、第一の位置から第二の位置まで移動可能な物質移送機構、
容器に連結した、供給口を包み込むハウジング、及び
ハウジングと供給口との間に備えられた、使用者が物質移送機構を作動させる際に物質が通過する開口部を有するボタン
を含み、ここで
ハウジングは第一の位置で供給口を覆い隠し、そして第二の位置で供給口を覆い隠さず、そして
ボタンの開口部及び供給口は、お互いと流体連絡している状態及び流体連絡していない状態で移動可能である、上記携帯用供給装置。
【請求項１３】
ボタンが物質移送機構の一部分を受け入れる、請求項１２に記載の携帯用供給装置。
【請求項１４】
物質移送機構は、使用者がボタンを作動させてボタンの開口部及び供給口を一緒に供給位置に移動する場合にのみ液体を供給する、請求項１３に記載の携帯用供給装置。
【請求項１５】
物質移送機構が、ポンプおよび弁付与圧容器のうちの少なくとも一つを含む、請求項１２に記載の携帯用供給装置。
【請求項１６】
液体供給用の携帯用スプレー式供給装置であって、該装置は
液体貯蔵用容器、
容器に連結した、ノズルを通して液体をスプレーするためのポンプ、
ノズルの周囲に備えられた、第一の開口部を有するハウジング、
ハウジングの内部に備えられた、第二の開口部を有し、第一の位置から第二、第三の位置へと移動可能なボタン
を含み、ここで
ボタンが第一の位置にある際は、ノズルと第二の開口部とは一直線上に配置されておらず、
ボタンが第二の位置にある際は、ノズルと第一及び第二の開口部とは互いに一直線上に配置されており、そして
ボタンが第二の位置から第三の位置まで移動する際に、第一の開口部および第二の開口部を通って液体が供給される、
上記の携帯用スプレー式供給装置。
【請求項１７】
さらに、ボタンは供給装置の供給側の方へ上方に向かって傾斜する表面を含む、請求項１６に記載の供給装置。
【請求項１８】
表面は、供給装置の供給側の方へ向かって狭くなっている、請求項１７に記載の供給装置。
【請求項１９】
さらに、ボタンは、供給装置の供給側の方へ向かって狭くなっている表面を含む、請求項１６に記載の供給装置。
【請求項２０】
さらに、ボタンとノズルとの間に備えられた一つのバネを含み、該バネはボタンを第一の位置の方へ偏らせている、請求項１６に記載の供給装置。
【請求項２１】
ボタンが第一の位置にある際、該ボタンはノズルの遮蔽物となる、請求項１６に記載の供給装置。
【請求項２２】
ポンプがミストスプレー式ポンプである、請求項１６に記載の供給装置。
【手続補正書】
【提出日】平成20年8月12日(2008.8.12)
【手続補正１】
【補正対象書類名】特許請求の範囲
【補正対象項目名】全文
【補正方法】変更
【補正の内容】
【特許請求の範囲】
【請求項１】
メタロセン触媒を用いて製造したプロピレンポリマー組成物を含む延伸ブロー成形した容器であって、当該プロピレンポリマー組成物が：
（ｉ）  イソタクチック指数が約８０％を超える、
プロピレンのホモポリマー、又は
１．０ｗｔ％までの少なくとも１種のエチレン及びＣ４−Ｃ１０α−オレフィンを含有するプロピレンのミニランダムコポリマーを、２５．０ｗｔ％〜７５．０ｗｔ％；と
（ｉｉ）  プロピレンとエチレン及びＣ４−Ｃ１０α−オレフィンから選択される少なくとも１種のオレフィンとのランダムコポリマーであり、約０．３〜約３０ｗｔ％の前記オレフィンを含有し、イソタクチック指数が約６０％を超えるランダムコポリマーを、２５．０ｗｔ％〜７５．０ｗｔ％と
を含み、ここで、プロピレンポリマー組成物が１〜５０の溶融流量及び３．５よりも小さい分子量分布を有する、前記容器。
【請求項２】
溶融流量が１〜２５である請求項１に記載の容器。
【請求項３】
溶融流量が２〜２０である請求項２に記載の容器。
【請求項４】
成分（ｉ）が２５．０〜６５．０ｗｔ％の量で存在し、成分（ｉｉ）が３５．０〜７５．０ｗｔ％の量で存在する、請求項１に記載の容器。
【請求項５】
成分（ｉ）が４５．０〜６３．０ｗｔ％の量で存在し、成分（ｉｉ）が３７．０〜５５．０ｗｔ％の量で存在する、請求項１に記載の容器。
【請求項６】
プロピレンポリマー組成物が
（ｉｉｉ）  ５ｗｔ％までの成核剤をさらに含む請求項１に記載の容器。
【請求項７】
成核剤がジベンジリデンソルビトール又はそのＣ１−Ｃ８−アルキル置換誘導体から選択される請求項６に記載の容器。
【請求項８】
成核剤がジメチルジベンジリデンソルビトールである請求項７に記載の容器。
【請求項９】
延伸ブロー成形した容器の製造方法であって、
Ｉ．  メタロセン触媒を用いて製造したプロピレンポリマー組成物を成形すること、プロピレンポリマー組成物は：
Ａ．    イソタクチック指数が約８０％を超える、プロピレンのホモポリマー、又は１．０ｗｔ％までの少なくとも１種のエチレン及びＣ４−Ｃ１０α−オレフィンを含有するプロピレンのミニランダムコポリマーを、２５．０ｗｔ％〜７５．０ｗｔ％；と
Ｂ    プロピレンとエチレン及びＣ４−Ｃ１０α−オレフィンから選択される少なくとも１種のオレフィンとのランダムコポリマーであり、約０．３〜約３０ｗｔ％の前記オレフィンを含有し、イソタクチック指数が約６０％を超えるランダムコポリマーを、２５．０ｗｔ％〜７５．０ｗｔ％とを含み、
ここで、プロピレンポリマー組成物が１〜５０の溶融流量及び３．５よりも小さい分子量分布を有し、それにより、プレフォームを形成し、そして
ＩＩ．  得られたプレフォームを延伸ブロー成形すること
を含む、前記方法。
【請求項１０】
成形工程Ｉを約２００℃〜約２８０℃の温度で行う、請求項９に記載の方法。
【請求項１１】
延伸ブロー成形工程ＩＩを約１００℃〜約１６０℃で行う、請求項９に記載の方法。
【手続補正書】
【提出日】平成20年5月12日(2008.5.12)
【手続補正１】
【補正対象書類名】特許請求の範囲
【補正対象項目名】全文
【補正方法】変更
【補正の内容】
【特許請求の範囲】
【請求項１】
変異体がEGFRアンタゴニストであり、該変異体がEGFRのドメインIIIに結合するのを阻止する少なくとも一つのアミノ酸置換、アミノ酸欠失またはアミノ酸挿入、および任意に、EGFRのドメインIに結合する該変異体をもたらす少なくとも一つのアミノ酸置換、アミノ酸欠失またはアミノ酸挿入を特徴とする、EGFRリガンドポリペプチド変異体。
【請求項２】
アンタゴニストとEGFRの一つ以上のアミノ酸の間に疎水結合、静電結合、または水素結合を形成する、置換、欠失または挿入を特徴とする、請求項１記載の変異体。
【請求項３】
該変異体がEGFによってEGFRから実質的に置き換えられない、請求項１記載の変異体。
【請求項４】
アミノ酸配列が実質的に野生型EGFRリガンドと同じであることを特徴とする、請求項１記載の変異体。
【請求項５】
該EGFRリガンドがEGFである、請求項４記載の変異体。
【請求項６】
ヒト野生型上皮成長因子のアミノ酸Gly 18、アミノ酸Val 35、アミノ酸Arg 41またはアミノ酸Gly 39に対応するアミノ酸位置が別のアミノ酸と置換され、ポリペプチドが上皮成長因子受容体アンタゴニスト活性を有する、上皮成長因子ポリペプチド変異体。
【請求項７】
該ポリペプチド変異体がヒトEGFポリペプチド変異体である、請求項６記載の上皮成長因子ポリペプチド変異体。
【請求項８】
ヒト野生型上皮成長因子のGly 18またはGly 39に対応する位置でのアミノ酸置換が、フェニルアラニン、ロイシン、アスパラギン酸、およびイソロイシンからなる群より選ばれる、請求項６記載の上皮成長因子ポリペプチド変異体。
【請求項９】
ヒト野生型上皮成長因子のVal 35に対応するアミノ酸がグルタミン酸で置換される、請求項６記載の上皮成長因子ポリペプチド変異体。
【請求項１０】
前記ポリペプチドがGly 18またはGly 39以外の位置で少なくとも一つのさらなるアミノ酸置換を含み、前記ポリペプチドが上皮成長因子受容体アンタゴニスト活性を有する、請求項６記載の上皮成長因子ポリペプチド変異体。
【請求項１１】
前記ポリペプチドがVal 35でのグルタミン酸による少なくとも一つのさらなるアミノ酸置換を含む、請求項１０記載の上皮成長因子ポリペプチド変異体。
【請求項１２】
前記の少なくとも一つのアミノ酸置換が同類的なアミノ酸置換である、請求項１０記載の上皮成長因子ポリペプチド変異体。
【請求項１３】
前記ポリペプチドがGly 18またはGly 39以外の位置で少なくとも一つのアミノ酸欠失を含み、前記ポリペプチドが上皮成長因子受容体アンタゴニスト活性を有する、請求項６記載の上皮成長因子ポリペプチド変異体。
【請求項１４】
前記ポリペプチドがGly 18またはGly 39以外の位置で少なくとも一つのアミノ酸挿入変異を含み、前記ポリペプチドが上皮成長因子受容体アンタゴニスト活性を有する、請求項６記載の上皮成長因子ポリペプチド変異体。
【請求項１５】
アミノ酸Val 35に対応するアミノ酸位置がグルタミン酸で置換され、アミノ酸Gly 39がロイシンで置換される、ヒトEGFの上皮成長因子ポリペプチド変異体。
【請求項１６】
請求項１記載のEGFRリガンドポリペプチド変異体および薬学的に許容され得る担体を含む、医薬組成物。
【請求項１７】
EGFRの過剰発現を特徴とする疾患を有する患者を治療するための医薬の製造における、請求項１記載のEGFRリガンドポリペプチド変異体の使用。
【請求項１８】
該疾患が癌である、請求項１７記載の使用。
【請求項１９】
癌が神経膠腫、扁平上皮癌、乳癌、黒色腫、侵襲性の膀胱癌、結腸直腸癌および食道癌からなる群より選択される、請求項１７記載の使用。
【請求項２０】
該疾患が乾癬である、請求項１７記載の使用。
【請求項２１】
ヒト野生型上皮成長因子のアミノ酸Gly 18またはアミノ酸Gly 39に対応するアミノ酸位置が別のアミノ酸に置換され、ポリペプチドが上皮成長因子受容体アンタゴニスト活性を有する、上皮成長因子受容体リガンドのポリペプチド変異体。
【請求項２２】
該上皮成長因子受容体リガンドが、トランスフォーミング成長因子α（TGFα）、ベータセルリン、ヘパリン結合EGF様成長因子（HB-EGF）、アンフィレギュリン（AR）およびエピレギュリンからなる群より選択される、請求項２１記載のポリペプチド変異体。
【手続補正書】
【提出日】平成20年7月23日(2008.7.23)
【手続補正１】
【補正対象書類名】特許請求の範囲
【補正対象項目名】全文
【補正方法】変更
【補正の内容】
【特許請求の範囲】
【請求項１】
第１のエリア、および該第１のエリアの外にある第２のエリアを有するボディと、
前記第１のエリアと前記第２のエリアとの間に配設されたモートと、
から構成され、前記モートはそのモートに関連づけられた幾何学的特性を備え、その特性は互いに横切る方向に延びる２本の直線状セグメントと前記２本の直線状セグメント間にわたる円弧状接続部を有し、前記幾何学的特性によってモートに入り込む液体の量を最小限に抑えることを特徴とするテンプレート。
【請求項２】
前記幾何学的特性により、前記モートには、表面形状不連続性を最小限に抑えるための、互いに横切る方向に延びる２本の直線状セグメントの間に結合した円弧状接続部を有する表面が設けられていることを特徴とする請求項１に記載のテンプレート。
【請求項３】
前記幾何学的特性により、前記モートには、前記モートの形状不連続性を最小限に抑えるよう構成された第１の部分と、前記モートの形状不連続性が存在する第２の部分とが設けられていることを特徴とする請求項１に記載のテンプレート。
【請求項４】
境界を有するモールドを備え、前記幾何学的特性により前記モートには、前記モートの形状不連続性を最小限に抑えるよう構成された第１の部分と、前記モートの形状不連続性が存在する、前記境界に近接した第２の部分が設けられていることを特徴とする請求項１に記載のテンプレート。
【請求項５】
前記幾何学的特性は、前記第２のエリアと重なり合う前記液体の量を最小限に抑えるようにさらに確立されていることを特徴とする請求項１に記載のテンプレート。
【請求項６】
前記第２のエリアに配設されたアラインメントマークをさらに備えることを特徴とする請求項１に記載のテンプレート。
【請求項７】
前記第２のエリアに配設したアラインメントマークは、前記テンプレートの表面にある複数の凸部をであることを特徴とする請求項１に記載のテンプレート。
【請求項８】
前記モートは前記第２のエリアを取り囲むことを特徴とする請求項１に記載のテンプレート。
【請求項９】
前記ボディは、前記第１のエリア内に配設された追加のモートをさらに有することを特徴とする請求項１に記載のテンプレート。
【請求項１０】
第１のエリア、および該第１のエリアの外にある第２のエリアを有するボディと、
前記第１のエリアと前記第２のエリアとの間に配設されたモートと、
から構成され、前記モートは互いに横切る方向に延びる２本の直線状セグメントと前記２本の直線状セグメント間にわたる円弧状セグメントを有することを特徴とするテンプレート。
【請求項１１】
前記円弧セグメントは、液体が前記第２のエリアと重なり合うことを妨げるようにさらに確立されていることを特徴とする請求項１０に記載のテンプレート。
【請求項１２】
前記特性により、前記モートには、前記モートの形状不連続性を最小限に抑えるよう構成された第１の部分と、前記モートの形状不連続性が存在する第２の部分が設けられていることを特徴とする請求項１０に記載のテンプレート。
【請求項１３】
境界を有するモールドを備え、前記幾何学的特性により、前記モートには前記モートの形状不連続性を最小限に抑えるよう構成された第１の部分と、前記モートの形状不連続性が存在する、前記境界に近接した第２の部分が設けられていることを特徴とする請求項１０に記載のテンプレート。
【請求項１４】
前記第２のエリアに配設されたアラインメントマークを有することを特徴とする請求項１０に記載のテンプレート。
【請求項１５】
前記第２のエリアに配設されたアラインメントマークは第１の材料から形成され、前記テンプレートは実質的に前記第１の材料と同じ第２の材料で形成されることを特徴とする請求項１０に記載のテンプレート。
【請求項１６】
前記ボディは、前記第１のエリア内に配設され、追加のアラインメントマークを取り囲む追加のモートをさらに有することを特徴とする請求項１０に記載のテンプレート。
【請求項１７】
アラインメントマークがその上に形成されているテンプレートであって、そのテンプレートは、
第１のエリア、および該第１のエリアの外にある第２のエリアを有するボディと、
前記テンプレートのアラインメントマークを取り囲む表面によって決定されるモートと、
から構成され、前記表面はその表面に関連づけられた幾何学的特性を備え、その表面は互いに横切る方向に延びる２本の直線状セグメントと前記２本の直線状セグメント間にわたる円弧状接続部を有し、前記表面の形状の不連続性を最小限に抑えることを特徴とするテンプレート。
【請求項１８】
前記幾何学的特性は、液体が前記第２のエリアと重なり合うことを妨げるようにさらに確立されていることを特徴とする請求項１７に記載のテンプレート。
【請求項１９】
前記ボディは、追加のアラインメントマークを取り囲む追加のモートをさらに有することを特徴とする請求項１７に記載のテンプレート。
【請求項２０】
第１のエリア、および該第１のエリアの外にある第２のエリアを有するボディと、
前記第１のエリアと前記第２のエリアとの間に配設されたモートと、
から構成され、前記モートは、表面を備える前記モートに関連づけられた幾何学的特性を有し、前記表面は、その表面の形状不連続性を最小限におさえるための互いに横切る方向に延びる２本の直線状セグメントにわたる円弧状セグメントを備え、前記幾何学的特性により、前記モートに入り込む液体の量をを最小限に抑えるように確立されていることを特徴とするテンプレート。
【請求項２１】
第１のエリア、および該第１のエリアの外にある第２のエリアを有するボディと、
前記第１のエリアと前記第２のエリアとの間に配設されたモートと、
から構成され、前記モートはそのモートに関連づけられた幾何学的特性を有し、前記幾何学的特性はモートに入り込む液体の量を最小限に抑えるように確立され、前記モートは前記モートの形状不連続性を最小限に抑えるよう構成された第１の部分と、前記モートの形状不連続性が存在する第２の部分を有することを特徴とするテンプレート。
【請求項２２】
第１のエリア、および前記第１のエリアの外にある第２のエリアを有するボディと、
前記第１のエリアと前記第２のエリアとの間に配設されたモートと、
から構成され、そのモートに関連づけられた幾何学的特性を有し、この幾何学的特性はモートに入り込む液体の量を最小限に抑えるように確立され、前記モートは境界を有し、前記幾何学的特性により前記モートには前記モートの形状不連続性を最小限に抑えるよう構成された第１の部分と、前記モートの形状不連続性が存在する、前記境界に近接した第２の部分が設けられることを特徴とするテンプレート。
【手続補正書】
【提出日】平成20年6月25日(2008.6.25)
【手続補正１】
【補正対象書類名】特許請求の範囲
【補正対象項目名】請求項３
【補正方法】変更
【補正の内容】
【請求項３】
前記支持部材（１５）は降伏可能であり、一定の閾値を超えるガス容器のガスの圧力に応じて降伏して、前記箔が破断できるよう構成される、請求項１または２に記載のインフレータ。
【手続補正２】
【補正対象書類名】特許請求の範囲
【補正対象項目名】請求項４
【補正方法】変更
【補正の内容】
【請求項４】
前記支持部材（１５）は、機構的に脆弱な線（１７）を有して、ガス容器のガス圧が一定の閾値を超えて前記箔を破断できるとき、前記機構的に脆弱な線（１７）は破断し、かつ前記支持部材は降伏する、請求項３に記載のインフレータ。
【手続補正３】
【補正対象書類名】特許請求の範囲
【補正対象項目名】請求項７
【補正方法】変更
【補正の内容】
【請求項７】
前記ガス容器（１，２）は各々、二つの平行に離間した平面壁（５，６）のそれぞれの一つによりシールされ、各壁はそれぞれの開口（８）を有し、各開口はそれぞれの前記破断可能な箔（９）によりシールされ、前記ピストン（２０）は、前記二つの壁の間に区画形成されるチャンバに設けられる、請求項５または６に記載のインフレータ。
【手続補正４】
【補正対象書類名】特許請求の範囲
【補正対象項目名】請求項８
【補正方法】変更
【補正の内容】
【請求項８】
一方の容器（１）には、燃料又は酸化可能なガスがあり、もう一方の容器（２）には酸化ガスがある、請求項５−７のいずれか一項に記載のインフレータ。
【手続補正５】
【補正対象書類名】明細書
【補正対象項目名】００１０
【補正方法】変更
【補正の内容】
【００１０】
ガス容器のガス圧が一定の閾値を超えて、箔が破断できるとき、機構的に脆弱な線が破断し、かつ支持部材が降伏するように、支持部材は、機構的に脆弱な線を有するのが都合がよい。
【手続補正６】
【補正対象書類名】明細書
【補正対象項目名】００２７
【補正方法】変更
【補正の内容】
【００２７】
二つの壁５と６の間のチャンバに第一の起爆用口火装置１０が取り付けられる。第一の起爆用口火装置１０は、管状支持体１２内部に取り付けられる点火装置付起爆用口火１１を具備し、管状支持体１２は起爆用口火１１の上方に延びかつ円形断面チャンバを区画形成している。支持体１２の上部は、“Ｕ”字形ブラケット１３を支持し、ブラケット１３は、水平な基部１４と基部から垂直に延びる二つの直立する平坦なアーム１５と１６を（示される配向に）有している。この実施形態の直立するアーム１５，１６は、各アームが基部１４に接続される位置に機構的に脆弱な線を各々設けられる。ブラケットは、適切な形状を有するよう曲げられ又は折り畳まれる平坦な金属製ストリップから形成される、あるいはプラスチック材料から成型されてもよい。
【手続補正７】
【補正対象書類名】明細書
【補正対象項目名】００３４
【補正方法】変更
【補正の内容】
【００３４】
エア−バッグが膨張された状態にあるとき、第一の起爆用口火１１が駆動される。起爆用口火により発生したガスは、ピストン２０を上向きに移動するピストンヘッド２１に力を加える。ピストン２０はしたがって、ピストンヘッド２１がブラケット１３の基部１４の下部側面に係合する位置へ移動する、また外向きのフランジ２３は、ブラケット１３のアーム１５，１６の上端部の上方に上向きに移動される。アーム１５，１６は、その上端部においてもはや支持されない。このことは、アームが機構的に脆弱な線１７，１８の周囲に内向きに旋回することを可能にして、アーム１５，１６が、箔９などの箔に対する支持をもはや提供せず、箔が破断することを可能にしている。図３の矢印により示されるように、ガス容器１と２からのガスはしたがって、開口８など今開いている開口を通り、ピストン２０の外向きのフランジ２３を通り越し、そしてガス流開口２７，２８，２９，３０を通り抜けエア−バッグの内部に流入する。ガスが流動すると、ガスは混合される。